(57)【要約】      （修正有）【課題】  ディスクトレイを動作するためのギヤ即ちディスクトレイを出し入れするためのピニオンとラックを抹消することができ、ロック解除手段を必要とせず、構造が簡単でコストダウンを図れるディスク装置におけるディスクトレイの手動排出構造を提供する。【解決手段】  ディスク装置内で入り込んだ状態のディスクトレイ１とディスクトレイ１の下側に配置されターンテーブル２を上下移動するチャッキング部３の先端部３ａとの対応箇所に、互いに係止される係止爪４、５がそれぞれ突出形成され、チャッキング部３はイジェクトボタンを押すことでその先端部３ａが下向きに移動して各係止爪４、５の係止状態が解除されて、ディスクトレイ１が手動で手前に引くことによって排出位置まで引き出されるように構成されている。【選択図】図１
2005332533.tif 000002
【特許請求の範囲】
【請求項１】
ディスクトレイをディスク装置内から手動で排出位置に移動させるようにしたディスク装置におけるディスクトレイの手動排出構造において、前記ディスク装置内で入り込んだ状態のディスクトレイとディスクトレイの下側に配置されターンテーブルを上下移動するチャッキング部の先端部との対応箇所に、互いに係止される係止爪がそれぞれ突出形成され、前記チャッキング部はイジェクトボタンを押すことでその先端部が下向きに移動して前記各係止爪の係止状態が解除されて、前記ディスクトレイが手動で手前に引くことによって排出位置まで引き出されるように構成され、前記チャッキング部はこのチャッキング部から前向きに突出された突出ロッドが前記ディスク装置の前部側に配置され、駆動モータの回転駆動によってピニオンとラックを介して左右移動される移動板に上下斜め向きに形成されたガイド溝に前記突出ロッドが入り込まれ、前記移動板が左右に移動されることで前記突出ロッドが上下向きに移動されて前記チャッキング部の前部側が上下向きに移動するように構成されており、更に、前記ディスク装置内には、前記ディスクトレイが入り込んだ状態を感知するセンサーが配置され、このセンサーの感知によって前記チャッキング部が上向きに移動して前記各係止爪が係止して前記ディスクトレイが前部側に移動することを阻止するようにしたことを特徴とするディスク装置におけるディスクトレイの手動排出構造。
【請求項２】
ディスクトレイをディスク装置内から手動で排出位置に移動させるようにしたディスク装置におけるディスクトレイの手動排出構造において、ディスク装置内で入り込んだ状態のディスクトレイとディスクトレイの下側に配置されターンテーブルを上下移動するチャッキング部の先端部との対応箇所に、互いに係止される係止爪が突出形成され、前記チャッキング部はイジェクトボタンを押すことでその先端部が下向きに傾いて前記各係止爪の係止状態が解除されて、前記ディスクトレイが手動で手前に引くことによって引き出されるように構成され、前記チャッキング部は上下移動手段で上下向きに移動するように構成されていて、更に、前記ディスク装置内には、前記ディスクトレイが入り込んだ状態を感知する感知手段が配置され、この感知手段の感知によって前記チャッキング部が上向きに移動して前記各係止爪が係止して前記ディスクトレイが前部側に移動することを阻止するようにしたことを特徴とするディスク装置におけるディスクトレイの手動排出構造。
【請求項３】
前記チャッキング部側の係止爪に変えて、前記ディスクトレイの係止爪が係入係止される係止溝を有する略コ字形の係止枠がチャッキング部の先端部に設けられている請求項２に記載のディスク装置におけるディスクトレイの手動排出構造。
【発明の詳細な説明】
【技術分野】
【０００１】
本発明は、ディスクトレイをディスク装置内から手動で排出位置に移動させるようにしたディスク装置におけるディスクトレイの手動排出構造に関するものである。
【背景技術】
【０００２】
第１の従来技術として、特開平１−１８５８７２号公報に記載されたディスクローディング装置がある。これは、装置本体と、ディスクを載置して装置本体内に収納するローディングトレイと、このローディングトレイを駆動するローディングモータと、ローディングトレイを駆動するローディングモータと、ディスク演奏中装置本体内に収納されたローディングトレイをロックするロック部材と、この部材による収納ロックを解除するロック解除部材とローディングモータに印加される電圧の電圧降下検出回路とを備え、ローディングモータを駆動する電源電圧が降下した時、ローディングトレイの収納ロックを解除し、ローディングトレイを手動引出し可能にしたものである。（特許文献１）。
【０００３】
ところが、これはロック解除部材が別部材として設けられているものであった。このために、構造が複雑であるという問題があった。
【特許文献１】特開平１−１８５８７２号公報
【発明の開示】
【発明が解決しようとする課題】
【０００４】
本発明は、上記従来の問題に鑑みてなされたものであって、ディスクトレイを動作するためのギヤ即ちディスクトレイを出し入れするためのピニオンとラックを抹消することができ、ロック解除手段を必要とせず、構造が簡単でコストダウンを図れるディスク装置におけるディスクトレイの手動排出構造を提供することを目的としている。
【課題を解決するための手段】
【０００５】
本発明は、上記課題を解決するために提案されたものであって、請求項１に記載の発明は、ディスクトレイをディスク装置内から手動で排出位置に移動させるようにしたディスク装置におけるディスクトレイの手動排出構造において、前記ディスク装置内で入り込んだ状態のディスクトレイとディスクトレイの下側に配置されターンテーブルを上下移動するチャッキング部の先端部との対応箇所に、互いに係止される係止爪がそれぞれ突出形成され、前記チャッキング部はイジェクトボタンを押すことでその先端部が下向きに移動して前記各係止爪の係止状態が解除されて、前記ディスクトレイが手動で手前に引くことによって排出位置まで引き出されるように構成され、前記チャッキング部はこのチャッキング部から前向きに突出された突出ロッドが前記ディスク装置の前部側に配置され、駆動モータの回転駆動によってピニオンとラックを介して左右移動される移動板に上下斜め向きに形成されたガイド溝に前記突出ロッドが入り込まれ、前記移動板が左右に移動されることで前記突出ロッドが上下向きに移動されて前記チャッキング部の前部側が上下向きに移動するように構成されており、更に、前記ディスク装置内には、前記ディスクトレイが入り込んだ状態を感知するセンサーが配置され、このセンサーの感知によって前記チャッキング部が上向きに移動して前記各係止爪が係止して前記ディスクトレイが前部側に移動することを阻止するようにしたことを特徴としている。
【０００６】
請求項２に記載の発明は、ディスクトレイをディスク装置内から手動で排出位置に移動させるようにしたディスク装置におけるディスクトレイの手動排出構造において、ディスク装置内で入り込んだ状態のディスクトレイとディスクトレイの下側に配置されターンテーブルを上下移動するチャッキング部の先端部との対応箇所に、互いに係止される係止爪が突出形成され、前記チャッキング部はイジェクトボタンを押すことでその先端部が下向きに傾いて前記各係止爪の係止状態が解除されて、前記ディスクトレイが手動で手前に引くことによって引き出されるように構成され、前記チャッキング部は上下移動手段で上下向きに移動するように構成されていて、更に、前記ディスク装置内には、前記ディスクトレイが入り込んだ状態を感知する感知手段が配置され、この感知手段の感知によって前記チャッキング部が上向きに移動して前記各係止爪が係止して前記ディスクトレイが前部側に移動することを阻止するようにしたことを特徴としている。
【０００７】
請求項３に記載の発明は、前記チャッキング部側の係止爪に変えて、前記ディスクトレイの係止爪が係入係止される係止溝を有する略コ字形の係止枠がチャッキング部の先端部に設けられている。
【発明の効果】
【０００８】
請求項１に記載の発明によれば、ディスクトレイとディスクトレイの下側に配置されターンテーブルを上下移動するチャッキング部の先端部との対応箇所に設けられ、互いに係止される係止爪の係止状態を解除するだけで、ディスクトレイを手動で排出位置まで移動することができる。また、ディスクトレイが入り込んだ状態を感知するセンサーによるディスクトレイの入り込み状態の検出によって、チャッキング部を上向きに移動して互いの係止爪を係止することで、ディスクトレイが前部側に移動することを阻止することができる。このように、ディスクトレイを動作するためのギヤ即ちディスクトレイを出し入れするためのピニオンとラックを抹消することができ、ロック解除手段を必要とせず、構造が簡単でコストダウンを図れる。
【０００９】
請求項２に記載の発明によれば、ディスクトレイとディスクトレイの下側に配置されターンテーブルを上下移動するチャッキング部の先端部との対応箇所に設けられ、互いに係止される係止爪の係止状態を解除するだけで、ディスクトレイを手動で排出位置まで移動することができる。このように、ディスクトレイを動作するためのギヤ即ちディスクトレイを出し入れするためのピニオンとラックを抹消することができ、ロック解除手段を必要とせず、構造が簡単でコストダウンを図れる。
【００１０】
請求項３に記載の発明によれば、ディスクトレイ側の係止爪とチャッキング部側の略コ字形の係止枠との係入係止でディスクトレイがディスク装置内に入り込んだ状態でロックすることができる。また、係止状態を解除するには、チャッキング部側の略コ字形の係止枠からディスクトレイ側の係止爪を、チャッキング部を下側に移動することにより外して簡単に係止状態を解除することができ、この解除によって、ディスクトレイを排出位置まで手動で移動させることができる。
【発明を実施するための最良の形態】
【００１１】
以下、本発明に係るディスク装置におけるディスクトレイの手動排出構造の実施の形態について、図を参照しつつ説明する。
【００１２】
図１は本発明の実施形態のディスク装置におけるディスクトレイの手動排出構造を示し、（ａ）はその係止爪が互いに係止しているロック状態の断面図、（ｂ）は互いの係止爪の係止状態が解除された状態の縦断面図、図２は同構造におけるチャッキング部の上下移動機構を示す部分斜視図、図３は同構造の部分斜視図である。
【００１３】
本実施形態のディスク装置におけるディスクトレイの手動排出構造は、図１（ａ）に示すように、ディスク装置内で入り込んだ状態のディスクトレイ１とディスクトレイ１の下側に配置されターンテーブル２を上下移動するチャッキング部３の先端部３ａとの対応箇所に、互いに係止される係止爪４、５がそれぞれ突出形成されている。チャッキング部３はイジェクトボタン（図示略）を押すことで図１（ｂ）に示すように、その先端部３ａが下向きに移動して各係止爪４、５の係止状態が解除される。これにより、ディスクトレイ１が手動で手前に引くことによって排出位置まで引き出されるように構成されている。尚、図１（ａ）において、符号６はターンテーブル２とクランパ７でチャッキングされるディスクを示している。また、ディスクトレイ１の先端には、ディスクトレイ１を手動で引き出すための把手部１ａが設けられている。
【００１４】
また、図２に示すように、チャッキング部３はこのチャッキング部３から前向きに突出された突出ロッド８がディスク装置の前部側に配置され、駆動モータ９の回転駆動によってピニオン１０とラック１１を介して左右移動される移動板１２に上下斜め向きに形成されたガイド溝１２ａに突出ロッド８が入り込まれ、移動板１２が左右に移動されることで突出ロッド８が上下向きに移動されてチャッキング部３の前部側が上下向きに移動するように構成されている。
【００１５】
更に、図３に示すように、ディスク装置内には、ディスクトレイ１が入り込んだ状態を感知するセンサー１３が両側に配置され、このセンサー１３、１３の感知によってチャッキング部３が上向きに移動して各係止爪４、５が係止してディスクトレイ１が前部側に移動することを阻止するように構成されている。
【００１６】
したがって、本実施形態によれば、ディスクトレイ１とディスクトレイ１の下側に配置されターンテーブル２を上下移動するチャッキング部３の先端部３ａとの対応箇所に設けられ、互いに係止される係止爪４、５の係止状態を解除するだけで、ディスクトレイ１を手動で排出位置まで移動することができる。
【００１７】
また、ディスクトレイ１が入り込んだ状態を感知するセンサー１３、１３によるディスクトレイ１の入り込み状態の検出によって、チャッキング部３を上向きに移動して互いの係止爪４、５を係止することで、ディスクトレイ１が前部側に移動することを阻止することができる。
【００１８】
このように、ディスクトレイ１を動作するためのギヤ即ちディスクトレイ１を出し入れするためのピニオンとラックを抹消することができ、ロック解除手段を必要とせず、構造が簡単でコストダウンを図れる。
【００１９】
図４に示すのは、別例の係止機構であり、ディスクトレイ１の略レ字形の係止爪４Ａが係入係止される係止溝１４ａを有する略コ字形の係止枠１４がチャッキング部３の先端部３ａに設けられている。
【００２０】
したがって、ディスクトレイ１側の略レ字形の係止爪４Ａとチャッキング部３側の略コ字形の係止枠１４との係入係止でディスクトレイ１がディスク装置内に入り込んだ状態でロックすることができる。また、係止状態を解除するには、チャッキング部３側の略コ字形の係止枠１４からディスクトレイ１側の略レ字形の係止爪４Ａを、チャッキング部３が下側に移動することにより外して簡単に係止状態を解除することができ、この解除によって、ディスクトレイ１を排出位置まで手動で移動させることができる。
【図面の簡単な説明】
【００２１】
【図１】本発明の実施形態のディスク装置におけるディスクトレイの手動排出構造を示し、（ａ）はその係止爪が互いに係止しているロック状態の断面図、（ｂ）は互いの係止爪の係止状態が解除された状態の縦断面図である。
【図２】同構造におけるチャッキング部の上下移動機構を示す部分斜視図である。
【図３】同構造の部分斜視図である。
【図４】同構造における別例の係止機構を示す部分斜視図である。
【符号の説明】
【００２２】
１          ディスクトレイ
１ａ        把手部
２          ターンテーブル
３          チャッキング部
３ａ        先端部
４          係止爪
４Ａ        略レ字形の係止爪
５          係止爪
６          ディスク
７          クランパ
８          突出ロッド
９          駆動モータ
１０        ピニオン
１１        ラック
１２        移動板
１２ａ      ガイド溝
１３        センサー
１４        略コ字形の係止枠
１４ａ      係止溝
【図１】
2005332533.tif 000003
【図２】
2005332533.tif 000004
【図３】
2005332533.tif 000005
【図４】
2005332533.tif 000006